(57)【要約】【課題】  商用電源が停電状態でないときにおける利用価値を高めることができる保安灯装置を提供すること。【解決手段】  保安灯装置本体と、保安灯装置本体に設けられた蛍光灯６と、蛍光灯６に駆動電力を供給するための駆動用電源８と、商用電源４８の停電を検出するための停電検出手段５４と、停電検出手段５４からの検出信号に基づいて蛍光灯６への入力を商用電源４８と駆動用電源８とに切り替えるための入力切替手段５６と、を備える。商用電源４８が停電状態でないときには、商用電源４８からの商用電力が整流手段５２を介して蛍光灯６に供給され、停電検出手段５４により商用電源４８の停電が検出されると、入力切替手段５６は、蛍光灯６への入力を商用電源４８から駆動用電源８に切り替え、駆動用電源８からの駆動電力が蛍光灯６に供給される。【選択図】  図３
2008258083.tif 000002
【特許請求の範囲】
【請求項１】
保安灯装置本体と、前記保安灯装置本体に設けられた蛍光灯と、前記蛍光灯に駆動電力を供給するための駆動用電源と、商用電源の停電を検出するための停電検出手段と、前記駆動用電源から前記蛍光灯への駆動電力の供給を遮断するための遮断スイッチと、前記蛍光灯への駆動電力の供給が遮断されたことを表示するための表示灯と、を備え、
前記商用電源が停電状態でないときには、前記駆動用電源から前記蛍光灯への駆動電力の供給が遮断され、前記停電検出手段により前記商用電源の停電が検出されると、前記駆動用電源からの駆動電力が前記蛍光灯に供給されるように構成されており、
前記商用電源の停電状態において、前記遮断スイッチが第１の切替状態であるときには、前記駆動用電源からの駆動電力が前記蛍光灯に供給されるとともに、前記駆動用電源から前記表示灯への駆動電力の供給が遮断されて前記表示灯が消灯され、また前記遮断スイッチが第２の切替状態に切り替えられると、前記駆動用電源から前記蛍光灯への駆動電力の供給が遮断されるとともに、前記駆動用電源からの駆動電力が前記表示灯に供給されて前記表示灯が点灯されることを特徴とする保安灯装置。
【請求項２】
保安灯装置本体と、前記保安灯装置本体に設けられた蛍光灯と、前記蛍光灯に駆動電力を供給するための駆動用電源と、商用電源からの商用電力を整流するための整流手段と、前記商用電源の停電を検出するための停電検出手段と、前記停電検出手段からの検出信号に基づいて前記蛍光灯への入力を前記商用電源と前記駆動用電源とに切り替えるための入力切替手段と、を備え、
前記商用電源が停電状態でないときには、前記商用電源からの商用電力が前記整流手段を介して前記蛍光灯に供給され、前記停電検出手段により前記商用電源の停電が検出されると、前記入力切替手段は、前記蛍光灯への入力を前記商用電源から前記駆動用電源に切り替え、前記駆動用電源からの駆動電力が前記蛍光灯に供給されることを特徴とする保安灯装置。
【請求項３】
前記駆動用電源から前記蛍光灯への駆動電力の供給を遮断するための遮断スイッチと、前記蛍光灯への駆動電力の供給が遮断されたことを表示するための表示灯と、を更に備え、
前記商用電源の停電状態において、前記遮断スイッチが第１の切替状態であるときには、前記駆動用電源からの駆動電力が前記蛍光灯に供給されるとともに、前記駆動用電源から前記表示灯への駆動電力の供給が遮断されて前記表示灯が消灯され、また前記遮断スイッチが第２の切替状態に切り替えられると、前記駆動用電源から前記蛍光灯への駆動電力の供給が遮断されるとともに、前記駆動用電源からの駆動電力が前記表示灯に供給されて前記表示灯が点灯されることを特徴とする請求項２に記載の保安灯装置。
【請求項４】
前記蛍光灯に関連して、外部電源からの駆動電力を前記蛍光灯に供給するための外部電源入力手段が設けられていることを特徴とする請求項１〜３のいずれかに記載の保安灯装置。
【請求項５】
前記保安灯装置本体には透光カバー部材が設けられ、前記蛍光灯は前記透光カバー部材によって覆われることを特徴とする請求項１〜４のいずれかに記載の保安灯装置。
【請求項６】
前記保安灯装置本体には、相互に剥離自在に重ね合わされた複数の表示ラベルが取り付けられていることを特徴とする請求項１〜５のいずれかに記載の保安灯装置。
【発明の詳細な説明】
【技術分野】
【０００１】
本発明は、商用電源の停電状態において屋内又は屋外を照明するための保安灯装置に関する。
【背景技術】
【０００２】
従来より、商用電源の停電状態において屋内又は屋外を照明するための保安灯装置が用いられている（例えば、特許文献１参照）。この保安灯装置は、屋内又は屋外に設置される保安灯装置本体と、保安灯装置本体に設けられたランプと、ランプに駆動電力を供給するための蓄電池と、商用電源からの商用電力を蓄電池に充電するための充電回路と、商用電源の停電を検出するための停電検出手段と、を備えている。
【０００３】
商用電源が停電状態でないときには、商用電源からの商用電力が充電回路によって蓄電池に充電されるとともに、蓄電池からランプへの駆動電力の供給が遮断されてランプが消灯される。停電検出手段により商用電源の停電が検出されると、蓄電池からの駆動電力がランプに供給されてランプが点灯され、このランプからの光によって屋内又は屋外が照明される。
【０００４】
【特許文献１】特開平９−２６５８１４号公報
【発明の開示】
【発明が解決しようとする課題】
【０００５】
しかしながら、上述のような従来の保安灯装置では、次のような問題がある。第１に、例えば昼間に商用電源が停電状態となった場合などのように、屋内又は屋外が明るいときにランプが点灯されると、蓄電池の駆動電力を無駄に消費してしまうという問題がある。第２に、商用電源が停電状態でないときにはランプは消灯された状態に保持されるので、商用電源が停電状態でないときにおける保安灯装置の利用価値が低下してしまうという問題がある。
【０００６】
本発明の目的は、省電力化を図ることのできる保安灯装置を提供することである。
また、本発明の他の目的は、商用電源が停電状態でないときにおける利用価値を高めることができる保安灯装置を提供することである。
【課題を解決するための手段】
【０００７】
本発明の請求項１に記載の保安灯装置では、保安灯装置本体と、前記保安灯装置本体に設けられた蛍光灯と、前記蛍光灯に駆動電力を供給するための駆動用電源と、商用電源の停電を検出するための停電検出手段と、前記駆動用電源から前記蛍光灯への駆動電力の供給を遮断するための遮断スイッチと、前記蛍光灯への駆動電力の供給が遮断されたことを表示するための表示灯と、を備え、
前記商用電源が停電状態でないときには、前記駆動用電源から前記蛍光灯への駆動電力の供給が遮断され、前記停電検出手段により前記商用電源の停電が検出されると、前記駆動用電源からの駆動電力が前記蛍光灯に供給されるように構成されており、
前記商用電源の停電状態において、前記遮断スイッチが第１の切替状態であるときには、前記駆動用電源からの駆動電力が前記蛍光灯に供給されるとともに、前記駆動用電源から前記表示灯への駆動電力の供給が遮断されて前記表示灯が消灯され、また前記遮断スイッチが第２の切替状態に切り替えられると、前記駆動用電源から前記蛍光灯への駆動電力の供給が遮断されるとともに、前記駆動用電源からの駆動電力が前記表示灯に供給されて前記表示灯が点灯されることを特徴とする。
【０００８】
また、本発明の請求項２に記載の保安灯装置では、保安灯装置本体と、前記保安灯装置本体に設けられた蛍光灯と、前記蛍光灯に駆動電力を供給するための駆動用電源と、商用電源からの商用電力を整流するための整流手段と、前記商用電源の停電を検出するための停電検出手段と、前記停電検出手段からの検出信号に基づいて前記蛍光灯への入力を前記商用電源と前記駆動用電源とに切り替えるための入力切替手段と、を備え、
前記商用電源が停電状態でないときには、前記商用電源からの商用電力が前記整流手段を介して前記蛍光灯に供給され、前記停電検出手段により前記商用電源の停電が検出されると、前記入力切替手段は、前記蛍光灯への入力を前記商用電源から前記駆動用電源に切り替え、前記駆動用電源からの駆動電力が前記蛍光灯に供給されることを特徴とする。
【０００９】
さらに、本発明の請求項３に記載の保安灯装置では、前記駆動用電源から前記蛍光灯への駆動電力の供給を遮断するための遮断スイッチと、前記蛍光灯への駆動電力の供給が遮断されたことを表示するための表示灯と、を更に備え、
前記商用電源の停電状態において、前記遮断スイッチが第１の切替状態であるときには、前記駆動用電源からの駆動電力が前記蛍光灯に供給されるとともに、前記駆動用電源から前記表示灯への駆動電力の供給が遮断されて前記表示灯が消灯され、また前記遮断スイッチが第２の切替状態に切り替えられると、前記駆動用電源から前記蛍光灯への駆動電力の供給が遮断されるとともに、前記駆動用電源からの駆動電力が前記表示灯に供給されて前記表示灯が点灯されることを特徴とする。
【００１０】
また、本発明の請求項４に記載の保安灯装置では、前記蛍光灯に関連して、外部電源からの駆動電力を前記蛍光灯に供給するための外部電源入力手段が設けられていることを特徴とする。
【００１１】
さらに、本発明の請求項５に記載の保安灯装置では、前記保安灯装置本体には透光カバー部材が設けられ、前記蛍光灯は前記透光カバー部材によって覆われることを特徴とする。
【００１２】
また、本発明の請求項６に記載の保安灯装置では、前記保安灯装置本体には、相互に剥離自在に重ね合わされた複数の表示ラベルが取り付けられていることを特徴とする。
【発明の効果】
【００１３】
本発明の請求項１に記載の保安灯装置によれば、商用電源の停電状態において、遮断スイッチが第２の切替状態に切り替えられると、駆動用電源から蛍光灯への駆動電力の供給が遮断されるとともに、駆動用電源からの駆動電力が表示灯に供給されて表示灯が点灯されるので、例えば昼間に商用電源が停電状態となった場合などにおいて、蛍光灯を点灯させる必要がないときには、遮断スイッチを第２の切替状態に切り替えることにより、駆動用電源の駆動電力を無駄に消費することがなく、省電力化を図ることができる。また、表示灯が点灯することによって、蛍光灯への駆動電力の供給が遮断されている（即ち、遮断スイッチが第２の切替状態に切り替えられている）ことを確認することができ、商用電源が復旧した後に遮断スイッチを第１の切替状態に戻し忘れるのを防止することができる。
【００１４】
また、本発明の請求項２に記載の保安灯装置によれば、商用電源が停電状態でないときには、商用電源からの商用電力が整流手段を介して蛍光灯に供給されるので、蛍光灯を点灯させることによって、例えばこの保安灯装置を室内のインテリア性を高めるためのインテリア照明器具などとして用いることができ、商用電源が停電状態でないときにおける保安灯装置の利用価値を高めることができる。また、停電検出手段により商用電源の停電が検出されると、入力切替手段は蛍光灯への入力を商用電源から駆動用電源に切り替え、駆動用電源からの駆動電力が蛍光灯に供給されるので、商用電源の停電状態において屋内又は屋外を確実に照明することができる。
【００１５】
さらに、本発明の請求項３に記載の保安灯装置によれば、商用電源の停電状態において、遮断スイッチが第２の切替状態に切り替えられると、駆動用電源から蛍光灯への駆動電力の供給が遮断されるとともに、駆動用電源からの駆動電力が表示灯に供給されて表示灯が点灯されるので、例えば昼間などのように蛍光灯を点灯させる必要がないときには、遮断スイッチを第２の切替状態に切り替えることにより、駆動用電源の駆動電力を無駄に消費することがなく、省電力化を図ることができる。また、表示灯が点灯することによって、蛍光灯への駆動電力の供給が遮断されていることを確認することができ、商用電源が復旧した後に遮断スイッチを第１の切替状態に戻し忘れるのを防止することができる。
【００１６】
また、本発明の請求項４に記載の保安灯装置によれば、外部電源からの駆動電力を蛍光灯に供給するための外部電源入力手段が設けられているので、外部電源（例えば、自動車用バッテリや充電池等）からの駆動電力によって蛍光灯を点灯させることができる。従って、商用電源の停電状態において、例えば駆動用電源の駆動電力が消耗した場合や、保安灯装置によって屋内又は屋外を長時間照明する場合などに、蛍光灯を安定して点灯させることができる。
【００１７】
さらに、本発明の請求項５に記載の保安灯装置によれば、保安灯装置本体には透光カバー部材が設けられ、蛍光灯は透光カバー部材によって覆われるので、この透光カバー部材に例えばステンドグラス調の装飾などを施すことにより、蛍光灯からの光が透光カバー部材を通して外部に照射されると透光カバー部材が美しく光り、室内のインテリア性を高めることができる。
【００１８】
また、本発明の請求項６に記載の保安灯装置によれば、保安灯装置本体には、相互に剥離自在に重ね合わされた複数の表示ラベルが取り付けられているので、例えば駆動用電源の使用期限等をこの表示ラベルに記載することができる。従って、表示ラベルに記載された使用期限等に基づいて駆動用電源を交換することにより、商用電源の停電状態における蛍光灯の点灯の確実性を確保することができる。また、駆動用電源を交換した際には、最も外側の古い表示ラベルを剥離することにより、次の新しい表示ラベルに交換後の駆動用電源の使用期限等を記載することができる。これによって、表示ラベルを貼り替える手間による記入忘れを防止することができ、また、重ね書き等による使用期限等の読み間違いを防止することができ、それ故に、駆動用電源を適切な時期に確実に交換することができ、保安灯装置の信頼性を高めることができる。
【発明を実施するための最良の形態】
【００１９】
以下、添付図面を参照して、本発明に従う保安灯装置の一実施形態について説明する。図１は、本発明の一実施形態による保安灯装置を示す斜視図であり、図２は、図１の保安灯装置の概略断面図であり、図３は、図１の保安灯装置の点灯回路を簡略的に示すブロック図であり、図４は、図１の保安灯装置を携帯する状態を示す図である。
【００２０】
図１〜図３を参照して、図示の保安灯装置２は、保安灯装置本体４と、保安灯装置本体４に設けられた蛍光灯６と、蛍光灯６に駆動電力を供給するための駆動用電源８と、蛍光灯６を点灯させるための点灯回路１０と、を備えている。以下、これら各構成要素について詳細に説明する。
【００２１】
保安灯装置本体４は筒状に構成され、その上端開口部には、筒状の透光カバー部材１２が取付ネジ１４により着脱自在に取り付けられている。この透光カバー部材１２は透明乃至半透明のアクリル樹脂やガラス等から形成され、その外側面には、本実施形態では花の模様が描かれた装飾が施されている。保安灯装置本体４の下端開口部には、蓋部材１６が取付ネジ１８により着脱自在に取り付けられており、この蓋部材１６の下面には、地震発生時に保安灯装置２の転倒を防止するための滑り止めパッド２０が取り付けられている。また、保安灯装置本体４の内部には、ソケット２２が支持される支持プレート２４と、駆動用電源８を収容するための電源ホルダ２６とが設けられている。
【００２２】
保安灯装置本体４の外側部には、相互に重ね合わされた複数（例えば、８枚）の表示ラベル２８が取り付けられている。各表示ラベル２８の裏面には、適度な粘着性を有する粘着層（図示せず）が形成されており、これにより複数の表示ラベル２８は相互に自在に剥離することができる。複数の表示ラベル２８のうち最も外側の表示ラベル２８の表面には、電源ホルダ２６に収容されている駆動用電源８の使用期限（例えば、「２００７年１２月」など）が記載されている。
【００２３】
保安灯装置本体４の外側部には、ストラップ部材３０（後述する）を取り付けるための一対の取付フック３２が設けられている。保安灯装置本体４の外側部には更に、点灯スイッチ３４、遮断スイッチ３６、ＬＥＤ表示灯３８及びコネクタ４０（後述する）が設けられ、また保安灯装置本体４より電力ケーブル４２（後述する）が外部に延びている。
【００２４】
蛍光灯６は、例えばワット数が２０Ｗのものから構成され、相互に隣接する一対の逆Ｕ字状のガラス管から構成される発光部４４と、直流電力が供給される口金部４６と、を有している。蛍光灯６の口金部４６はソケット２２に着脱自在に装着され、このように装着されると、蛍光灯６の発光部４４は透光カバー部材１２によって覆われる。駆動用電源８は、複数（例えば１０個）の乾電池から構成され、これら複数の乾電池が直列に接続されるようにして電源ホルダ２６に収容される。
【００２５】
次に、図３をも参照して、蛍光灯６を点灯させるための点灯回路１０について説明する。この点灯回路１０は、商用電源４８からの商用電力を降圧するための変圧手段５０と、変圧手段５０からの電力を整流するための整流手段５２と、商用電源４８から蛍光灯６への商用電力の供給を遮断するための点灯スイッチ３４と、商用電源４８の停電を検出するための停電検出手段５４と、停電検出手段５４からの検出信号に基づいて蛍光灯６への入力を商用電源４８と駆動用電源８とに切り替えるための入力切替スイッチ５６（入力切替手段を構成する）と、駆動用電源８から蛍光灯６への駆動電力の供給を遮断するための遮断スイッチ３６と、蛍光灯６への駆動電力の供給が遮断されたことを表示するためのＬＥＤ表示灯３８（表示灯を構成する）と、外部電源５８からの駆動電力を蛍光灯６に供給するためのコネクタ４０（外部電源入力手段を構成する）と、を備えている。
【００２６】
保安灯装置本体４から外部に延びる電力ケーブル４２のアダプタ部６０には変圧手段５０及び整流手段５２が内蔵され、このアダプタ部６０に設けられた一対の端子部６２が家庭用コンセント（図示せず）に差し込まれると、整流手段５２の交流側には、変圧手段５０を介して商用電源４８が電気的に接続される。また、整流手段５２の直流側には、蛍光灯６及び駆動用電源８が並列的に電気的に接続されている。駆動用電源８の陽極側は、逆流阻止ダイオード６４及び入力切替スイッチ５６を介して蛍光灯６の陽極端子部６６に電気的に接続され、またその陰極側は、遮断スイッチ３６を介して蛍光灯６の陰極端子部６８に電気的に接続されている。
【００２７】
また、整流手段５２の直流側と蛍光灯６の陽極端子部６６との間には点灯スイッチ３４が配設されており、この点灯スイッチ３４がオンされると、商用電源４８からの商用電力が変圧手段５０及び整流手段５２を介して蛍光灯６に供給され、また点灯スイッチ３４がオフされると、商用電源４８から蛍光灯６への商用電力の供給が遮断される。
【００２８】
入力切替スイッチ５６は、駆動用電源８の陽極側と蛍光灯６の陽極端子部６６との電気的接続が遮断される第１入力切替状態（図３において実線で示す）と、駆動用電源８の陽極側と蛍光灯６の陽極端子部６６とが電気的に接続される第２入力切替状態（図３において破線で示す）とに自在に切り替えられる。
【００２９】
停電検出手段５４は、商用電力の電圧が所定値よりも低下すると、商用電源４８の停電を検出する。商用電源４８が停電状態でないときには、入力切替スイッチ５６は第１入力切替状態に保持され、また停電検出手段５４により商用電源４８の停電が検出されると、入力切替スイッチ５６は第１入力切替状態から第２入力切替状態に切り替えられる。
【００３０】
駆動用電源８には、駆動電力の電圧（例えば、ＤＣ１６Ｖ）を所定の分圧比（例えば、Ｖ１：Ｖ２＝１３Ｖ：３Ｖ）でもって分圧する分圧端子部７０が設けられ、この分圧端子部７０と遮断スイッチ３６との間には、抵抗素子７２及びＬＥＤ表示灯３８が直列的に電気的に接続されている。
【００３１】
遮断スイッチ３６は、駆動用電源８の陰極側と蛍光灯６の陰極端子部６８とが電気的に接続される第１の切替状態（図３において実線で示す）と、駆動用電源８の陰極側とＬＥＤ表示灯３８のカソード側とが電気的に接続される第２の切替状態（図３において破線で示す）とに自在に切り替えられる。商用電源４８の停電状態において、遮断スイッチ３６が第１の切替状態であるときには、駆動用電源８からの駆動電力が蛍光灯６に供給されるとともに、駆動用電源８からＬＥＤ表示灯３８への駆動電力の供給が停止されてＬＥＤ表示灯３８が消灯され、また遮断スイッチ３６が第２の切替状態であるときには、駆動用電源８から蛍光灯６への駆動電力の供給が停止されるとともに、駆動用電源８からの駆動電力の一部がＬＥＤ表示灯３８に供給されてＬＥＤ表示灯３８が点灯される。
【００３２】
コネクタ４０は陽極端子部７４及び陰極端子部７６を有しており、コネクタ４０の陽極端子部７４は逆流阻止ダイオード７８を介して蛍光灯６の陽極端子部６６に電気的に接続され、またその陰極端子部７６は蛍光灯６の陰極端子部６８に電気的に接続されている。このコネクタ４０には、外部電源５８（例えば、自動車用バッテリや充電池等）から延びる電力ケーブル（図示せず）のコネクタ部が接続され、このように接続されると、外部電源５８からの駆動電力が電力ケーブルを通して蛍光灯６に供給される。
【００３３】
上述した保安灯装置２の使用方法について説明すると、次の通りである。保安灯装置２は例えば一般家屋のリビングなどに設置され、電力ケーブル４２の一対の端子部６２は、室内に設けられた家庭用コンセント（図示せず）に差し込まれる。また、遮断スイッチ３６は第１の切替状態に切り替えられている。商用電源４８が停電状態でないときには、入力切替スイッチ５６は第１入力切替状態に保持され、かかる状態において点灯スイッチ３４をオンすると、商用電源４８からの商用電力（例えば１００Ｖ，６０Ｈｚの単相交流電力）が変圧手段５０により降圧された後に整流手段５２により直流電力（例えば、１２Ｖの直流電力）に変換され、この直流電力が蛍光灯６に供給されて蛍光灯６が点灯される。このように蛍光灯６が点灯されると、蛍光灯６からの光が透光カバー部材１２を通して外部に照射されて透光カバー部材１２が美しく光り、これにより室内が照明されるとともに室内のインテリア性が高められる。なお、このように蛍光灯６が点灯されている状態において、点灯スイッチ３４をオフすると、商用電源４８から蛍光灯６への商用電力の供給が遮断されて蛍光灯６が消灯される。
【００３４】
例えば落雷などによって商用電源４８が停電状態になると、停電検出手段５４は商用電源４８の停電を検出し、入力切替スイッチ５６は、停電検出手段５４からの検出信号に基づいて第１入力切替状態から第２入力切替状態に切り替えられ、これにより蛍光灯６への入力が商用電源４８から駆動用電源８に切り替えられる。このように切り替えられると、駆動用電源８からの駆動電力（例えば、１６Ｖの直流電力）が蛍光灯６に供給されて蛍光灯６が点灯され、これにより商用電源４８が復旧するまでの間室内を照明することができる。商用電源４８が復旧すると、入力切替スイッチ５６は第２入力切替状態から第１入力切替状態に切り替えられ、これにより蛍光灯６への入力が駆動用電源８から商用電源４８に切り替えられる。
【００３５】
また、例えば昼間に商用電源４８が停電状態となった場合などにおいて、蛍光灯６を点灯させる必要がないときには、遮断スイッチ３６を第２の切替状態に切り替え操作することにより、駆動用電源８から蛍光灯６への駆動電力の供給が遮断されるとともに、駆動用電源８からの駆動電力の一部（例えば、３Ｖの直流電力）がＬＥＤ表示灯３８に供給されてＬＥＤ表示灯３８が点灯される。これによって蛍光灯６を消灯させることができ、またＬＥＤ表示灯３８の消費電力は蛍光灯６の消費電力よりも小さいので、駆動用電源８の駆動電力を無駄に消費するのを防止することができる。また、ＬＥＤ表示灯３８が点灯することによって、蛍光灯６への駆動電力の供給が遮断されていることを確認することができ、商用電源４８が復旧した後に遮断スイッチ３４を第１の切替状態に戻し忘れるのを防止することができる。
【００３６】
例えば駆動用電源８の駆動電力が消耗した場合や、表示ラベル２８に記載の駆動用電源８の使用期限が近付いた場合などには、蓋部材１６を保安灯装置本体４から取り外し、古い駆動用電源８を電源ホルダ２６から取り出した後に、新しい駆動用電源８を電源ホルダ２６に収容すればよい。このように駆動用電源８を交換したときには、複数の表示ラベル２８のうち最も外側の表示ラベル２８を剥離して取り除き、次の新しい表示ラベル２８に交換後の駆動用電源８の使用期限を記載することができる。
【００３７】
従って、本実施形態の保安灯装置２では、商用電源４８が停電状態でないときには、保安灯装置２を例えば室内のインテリア性を高めるためのインテリア照明器具として用いることができ、商用電源４８が停電状態でないときにおける保安灯装置２の利用価値を高めることができる。
【００３８】
なお、商用電源４８の停電状態において、例えば駆動用電源８の駆動電力が消耗した場合や、屋内又は屋外を長時間（例えば、数十時間）照明する場合などには、保安灯装置本体４に設けられたコネクタ４０に外部電源５８から延びる電力ケーブルのコネクタ部を接続することにより、外部電源５８からの駆動電力（例えば、１６Ｖの直流電力）を蛍光灯６に供給することができ、これにより蛍光灯６を安定して点灯させることができる。
【００３９】
また、商用電源４８の停電状態において保安灯装置２を屋外に携帯する場合には、電力ケーブル４２の一対の端子部６２を家庭用コンセントから抜き取り、保安灯装置本体４の一対の取付フック３２にストラップ部材３０を取り付ける（図４参照）。このように電力ケーブル４２の一対の端子部６２を抜き取ると、入力切替スイッチ５６が第２入力切替状態に切り替えられて蛍光灯６が点灯されるので、ストラップ部材３０を使用者の肩や首などに掛けることにより、保安灯装置２を携帯しながら屋外を照明することができる。あるいは、電力ケーブル４２を保安灯装置本体４から取り外せるように構成してもよく、このように構成することにより、保安灯装置２を携帯する際に電力ケーブル４２が邪魔になることがない。
【００４０】
次に、図５及び図６を参照して、保安灯装置の他の実施形態について説明する。図５は、本発明の他の実施形態による保安灯装置を示す斜視図であり、図６は、図５の保安灯装置の点灯回路を簡略的に示すブロック図である。なお、図５及び図６において、図１〜図４に示す実施形態の構成要素と同一の構成要素には同一の符号を付してその説明を省略する。
【００４１】
この他の実施形態の保安灯装置２Ａでは、透光カバー部材１２Ａの上端部には複数の取付部材８０を介して傘状のシェード８２が取り付けられ、このシェード８２によって透光カバー部材１２Ａが覆われる。また、この保安灯装置２Ａの点灯回路１０Ａでは、駆動用電源８の陽極側は逆流阻止ダイオード６４及び入力スイッチ８４を介して蛍光灯６の陽極端子部６６に電気的に接続され、またその陰極側は遮断スイッチ３６を介して蛍光灯６の陰極端子部６８に電気的に接続されている。入力スイッチ８４がオンされると（図６において破線で示す）、駆動用電源８からの駆動電力が蛍光灯６に供給され、また入力スイッチ８４がオフされると（図６において実線で示す）、駆動用電源８から蛍光灯６への駆動電力の供給が遮断される。
【００４２】
商用電源（図示せず）が停電状態でないときには、入力スイッチ８４はオフに保持され、駆動用電源８から蛍光灯６への駆動電力の供給が遮断されて蛍光灯６が消灯される。また、停電検出手段５４により商用電源の停電が検出されると、停電検出手段５４からの検出信号に基づいて入力スイッチ８４がオンされ、駆動用電源８からの駆動電力が蛍光灯６に供給されて蛍光灯６が点灯される。蛍光灯６が点灯されると、蛍光灯６からの光が透光カバー部材１２Ａを通して外部に照射された後にシェード８２によって拡散され、この保安灯装置２Ａを例えば室内を照明するための電気スタンドとして用いることができる。商用電源が復旧すると、入力スイッチ８４は再びオフに保持される。
【００４３】
上記実施形態と同様に、例えば昼間に商用電源が停電状態となった場合などにおいて、蛍光灯６を点灯させる必要がないときには、遮断スイッチ３６を第２の切替状態に切り替え操作することにより、駆動用電源８から蛍光灯６への駆動電力の供給が遮断されるとともに、駆動用電源８からの駆動電力の一部がＬＥＤ表示灯３８に供給されてＬＥＤ表示灯３８が点灯される。従って、上述したのと同様の作用効果が達成される。
【００４４】
以上、本発明に従う種々の保安灯装置の実施形態について説明したが、本発明はかかる実施形態に限定されるものではなく、本発明の範囲を逸脱することなく種々の変形乃至修正が可能である。
【００４５】
例えば、上記実施形態では、透光カバー部材１２の外側面に花の絵が描かれた装飾を施したが、この透光カバー部材１２に透明乃至半透明の赤色のテープ部材を貼着するようにしてもよい。蛍光灯６が点灯すると、蛍光灯６からの光によってテープ部材が赤色に光り、これによって保安灯装置２を警告表示灯として用いることができる。
【００４６】
また例えば、上記実施形態では、駆動用電源８を複数の乾電池から構成したが、これを蓄電池から構成し、商用電源４８からの商用電力を蓄電池に充電するための充電回路を設けるようにしてもよい。このように構成することによって、商用電源４８が停電状態でないときには、商用電源４８からの商用電力が蛍光灯６に供給されるとともに充電回路によって蓄電池に充電され、また停電検出手段５４により商用電源４８の停電が検出されると、商用電源４８から蛍光灯６への商用電力の供給が遮断されるとともに、蓄電池に充電された駆動電力が蛍光灯６に供給され蛍光灯６が点灯される。
【図面の簡単な説明】
【００４７】
【図１】本発明の一実施形態による保安灯装置を示す斜視図である。
【図２】図１の保安灯装置の概略断面図である。
【図３】図１の保安灯装置の点灯回路を簡略的に示すブロック図である。
【図４】図１の保安灯装置を携帯する状態を示す図である。
【図５】本発明の他の実施形態による保安灯装置を示す斜視図である。
【図６】図５の保安灯装置の点灯回路を簡略的に示すブロック図である。
【符号の説明】
【００４８】
２，２Ａ  保安灯装置
４  保安灯装置本体
６  蛍光灯
８  駆動用電源
１２，１２Ａ  透光カバー部材
２８  表示ラベル
３６  遮断スイッチ
３８  ＬＥＤ表示灯
４０  コネクタ
４８  商用電源
５２  整流手段
５４  停電検出手段
５６  入力切替スイッチ
５８  外部電源
【図１】
2008258083.tif 000003
【図２】
2008258083.tif 000004
【図３】
2008258083.tif 000005
【図４】
2008258083.tif 000006
【図５】
2008258083.tif 000007
【図６】
2008258083.tif 000008